(57)【要約】【課題】使用者の好みに応じて監視状態における通常時と異常時とでランプ部の点灯する態様を変更することができ、監視状態においてランプ部の点灯する態様が容易に変更されることを防止することができる警報器を提供することを課題とする。【解決手段】電力が供給されているときに点灯するランプ部７を備え、所定の範囲以上の外部環境の変化を検知して警報する警報器１であって、ランプ部７は、電力の供給が開始された後の初期設定時間に、所定の範囲以上の外部環境の変化を検知していない通常時と、所定の範囲以上の外部環境の変化を検知した異常時とで、それぞれ異なる態様で点灯するように設定を変更可能に構成されるものである。【選択図】図１
2016091387.tif 000002
【特許請求の範囲】
【請求項１】
電力が供給されているときに点灯するランプ部を備え、所定の範囲以上の外部環境の変化を検知して警報する警報器であって、
前記ランプ部は、電力の供給が開始された後の初期設定時間に、前記所定の範囲以上の外部環境の変化を検知していない通常時と、前記所定の範囲以上の外部環境の変化を検知した異常時とで、それぞれ異なる態様で点灯するように設定を変更可能に構成される、
警報器。
【請求項２】
前記ランプ部は、前記初期設定時間経過後においては、所定の条件を満たしたときに、前記通常時と前記異常時とでそれぞれ異なる態様で点灯するように設定を変更可能に構成される、
請求項１に記載の警報器。
【請求項３】
前記ランプ部は、複数個の前記通常時の点灯する態様から一個の態様が選択されて前記通常時の点灯する態様の設定を変更可能に構成される、
請求項１または請求項２に記載の警報器。
【発明の詳細な説明】
【技術分野】
【０００１】
本発明は、警報器の技術に関する。
【背景技術】
【０００２】
従来、屋内に配置されて、ガスまたは火災等の外部環境の変化を検知して警報する警報器は公知となっている（特許文献１参照）。
前記警報器は、検知部と、警報部と、ランプ部と、を備える。
【０００３】
前記警報器の検知部は、ＬＰガス若しくは都市ガス等の被検知ガスを検出してガス漏れを検知するガスセンサ、または、温度若しくは煙を検出して火災を検知する火災センサ等で構成される。検知部は、監視状態において外部環境の変化を検知する動作を行う。検知部が所定の範囲以上の外部環境の変化を検知していない状態では、監視状態における通常時とされ、検知部が外部環境の所定の範囲以上の外部環境の変化を検知した状態では、監視状態における異常時とされる。
前記警報部は、監視状態における異常時に警報する。
前記警報部のランプ部は、警報器に電力が供給されていること（警報器が動作していること）を使用者が視認することができるように、警報器に電力が供給されているとき（電源がＯＮされているとき）に点灯する。
【先行技術文献】
【特許文献】
【０００４】
【特許文献１】特開２００１−３４８６１号公報
【発明の概要】
【発明が解決しようとする課題】
【０００５】
しかしながら、前記警報器の監視状態における異常時では、検知部が所定の範囲以上の外部環境の変化を検知している状態であることから、ランプ部の点灯する明るさは明るいことが好ましい。もっとも、監視状態における通常時では、ランプ部の点灯する明るさが、明るすぎる、または、暗すぎる等、使用者によってランプ部が点灯する明るさの好みが異なる。
また、前記警報器の監視状態では、操作されること等によって警報器が正常に動作しなくなることを防止するために、警報器の各種の設定が容易に変更されないことが好ましい。
【０００６】
発明は以上の如き状況に鑑みてなされたものであり、使用者の好みに応じて監視状態における通常時と異常時とでランプ部の点灯する態様に設定を変更することができ、監視状態においてランプ部の点灯する態様に設定が容易に変更されることを防止することができる警報器を提供することを課題とする。
【課題を解決するための手段】
【０００７】
本発明の解決しようとする課題は以上の如くであり、次にこの課題を解決するための手段を説明する。
【０００８】
即ち、本願に開示する警報器においては、電力が供給されているときに点灯するランプ部を備え、所定の範囲以上の外部環境の変化を検知して警報する警報器であって、前記ランプ部は、電力の供給が開始された後の初期設定時間に、前記所定の範囲以上の外部環境の変化を検知していない通常時と、前記所定の範囲以上の外部環境の変化を検知した異常時とで、それぞれ異なる態様で点灯するように設定を変更可能に構成されるものである。
【０００９】
本願に開示する警報器においては、前記ランプ部は、前記初期設定時間経過後においては、所定の条件を満たしたときに、前記通常時と前記異常時とでそれぞれ異なる態様で点灯するように設定を変更可能に構成されるものである。
【００１０】
本願に開示する警報器においては、前記ランプ部は、複数個の前記通常時の点灯する態様から一個の態様が選択されて前記通常時の点灯する態様の設定を変更可能に構成されるものである。
【発明の効果】
【００１１】
本発明の効果として、以下に示すような効果を奏する。
即ち、本発明によれば、使用者の好みに応じて監視状態における通常時と異常時とでランプ部の点灯する態様の設定を変更することができ、監視状態においてランプ部の点灯する態様が容易に変更されることを防止することができる。
【図面の簡単な説明】
【００１２】
【図１】本発明の実施形態に係る警報器を示す斜視図。
【図２】同じく警報器のブロック図。
【図３】同じく警報器の動作を示すフロー図。
【図４】同じく警報器の監視状態におけるランプ部が点灯する態様の設定を変更するときの動作を示すフロー図。
【図５】同じく警報器の監視状態におけるランプ部が点灯する態様の設定を変更するときの動作を示すフロー図。
【発明を実施するための形態】
【００１３】
次に、本発明の実施形態に係る警報器１について、図１から図５を用いて説明する。
【００１４】
警報器１は、屋内に配置されて、ガスまたは火災等の所定の範囲以上の外部環境の変化を検知して警報する。
図１または図２に示すように、警報器１は、制御部２と、電源部３と、検知部４と、警報部５と、操作部６と、ランプ部７と、を備える。
【００１５】
警報器１の制御部２は、警報器１（電源部３、検知部４、警報部５、操作部６、および、ランプ部７）の各種の動作を制御する。制御部２は、記憶装置（不図示）と、時計機能（例えばリアルタイムクロック）を備える。
【００１６】
警報器１の電源部３は、警報器１の背面に配置されるプラグ（差込プラグ）３０がコンセントに差込まれることにより、警報器１に電力が供給されるように構成される。警報器１は、プラグがコンセントに差込まれることによって、電源がＯＮされる。
【００１７】
警報器１の検知部４は、外部環境の変化を検知する。検知部４は、ＬＰガス若しくは都市ガス等の被検知ガスを検出してガス漏れ等を検知するガスセンサ、または、温度若しくは煙を検出して火災を検知する火災センサ等で構成される。
【００１８】
警報器１の警報部５は、検知部４が所定の範囲以上の外部環境の変化を検知したとき（検知部４のガスまたは煙等を検出する値が安全な範囲を超えているとき）に警報する。警報部５は、検知部４が検出した値が予め定められた所定の値（所定の閾値）以上と制御部２が判断したときに警報する。警報部５は、例えば、警報音または警報メッセージ等の音声を発することによって警報する。
【００１９】
警報器１の操作部６は、警報器１の各種の操作を行うためのスイッチとして構成される。操作部６は、警報器１の正面（前面）部に配置される。
【００２０】
警報器１のランプ部７は、電力が供給されているとき（電源がＯＮされているとき）に点灯する。ランプ部７は、警報器１の正面（前面）部に配置される。
【００２１】
次に、電力の供給が開始されてから電力の供給が停止されるまでの警報器１の動作について、図３を用いて説明する。
【００２２】
図３に示すように、警報器１では、電力の供給が開始されると、まず、動作チェック時間となる（ステップＳ１）。
動作チェック時間では、所定の時間、警報器１の各種の動作（例えば、制御部２や検知部４等の動作）が正常に行われているか否かについて、警報器１が自己点検する時間を示す。動作チェック時間では、電力の供給が開始された直後から予め定められた数秒間（例えば、５秒間または６０秒間等）、警報器１が自己点検する。
ランプ部７は、電力の供給が開始されると、連続点灯または点滅点灯等の所定の点灯動作を開始し、動作チェック時間に警報器１の動作が正常に行われていないと判断されない場合には、当該連続点灯等の所定の点灯動作をしている状態を継続する。ランプ部７は、動作チェック時間に警報器１の動作が正常に行われていないと判断された場合には、警報器１の動作が正常に行われていないと判断されない場合と異なる態様で点灯（例えば、点滅点灯）を開始する。警報器１では、動作チェック時間に警報器１の動作が正常に行われていないと判断された場合には、動作チェック時間が継続する。
動作チェック時間が終わると、ステップＳ２に移行する。
【００２３】
次に、警報器１では、初期設定時間となる（ステップＳ２）。
初期設定時間では、警報器１の各種の初期設定（例えば、ランプ部７の点灯態様の設定の変更や警報部５の警報音量等の設定の変更等）を使用者が行える。初期設定時間では、動作チェック時間が終わった直後から予め定められた数秒間（例えば、１２０秒間または１８０秒間等）、警報器１の各種の設定を使用者が行える。
ランプ部７は、初期設定時間では、動作チェック時から継続して連続点灯または点滅点灯等の所定の点灯動作を行う。
初期設定時間が終わると、ステップＳ３に移行する。
【００２４】
次に、警報器１では、監視状態となる（ステップＳ３）。
監視状態では、検知部４が外部環境の変化を検知する動作を行う。
ここで、監視状態には、通常時と、異常時と、がある。
監視状態における通常時とは、監視状態において検知部４が所定の範囲以上の外部環境の変化を検知していない状態（検知部４が検出した値が予め定められた所定の値以上と制御部２が判断していない状態）を示す。
監視状態における異常時とは、監視状態において検知部４が所定の範囲以上の外部環境の変化を検知した状態（検知部４が検出した値が予め定められた所定の値以上と制御部２が判断した状態）を示す。
警報部５は、監視状態における異常時では、警報音を発する。
ランプ部７は、監視状態における通常時では、初期設定時間から継続して連続点灯する。ランプ部７は、監視状態における異常時では、監視状態における通常時と異なる態様で点灯（例えば、点滅点灯、または、監視状態における通常時よりも明るく連続点灯もしくは明るく点滅点灯）する。
以上のようにして、警報器１は、電力の供給が開始されてから電力の供給が停止されるまで動作を行う。
【００２５】
警報器１のランプ部７は、初期設定時間に、操作部６が操作（例えば、操作部６が、長押し操作、短押し操作、または、長押し操作と短押し操作とを組合せて操作）されることによって、監視状態における通常時と異常時とでそれぞれ異なる態様で点灯するように設定を変更可能に構成される。
警報器１では、初期設定時間において、監視状態における通常時と異常時とでそれぞれ異なる態様で点灯するように設定を変更するときには、監視状態における通常時の設定の変更が終わってから数秒間（例えば、２秒間または５秒間等）経過後に自動的に監視状態における異常時の設定の変更に移行、または、監視状態における異常時の設定の変更が終わってから数秒間経過後に自動的に監視状態における通常時の設定の変更に移行する。
【００２６】
警報器１の初期設定時間において、監視状態における通常時または異常時のランプ部７の点灯する態様の設定の変更としては、例えば、操作部６が長押し操作されるとランプ部７が次第に明るくまたは暗く点灯し、任意の明るさになった時点で操作部６の長押し操作を止める。そして、前記操作部６の操作が停止された時点での態様で、監視状態における通常時または異常時とのランプ部７の点灯する態様の設定が変更される。
また例えば、初期設定時間おいて、監視状態における通常時または異常時のランプ部７の点灯する態様の設定の変更としては、操作部６が短押し操作される毎にランプ部７が次第に明るくまたは暗く点灯し、任意の明るさになった時点で操作部６の長押し操作を止める。そして、前記操作部６の操作が停止された時点での態様で、監視状態における通常時または異常時とのランプ部７の点灯する態様の設定が変更される。
【００２７】
次に、初期設定時間（ステップＳ２）において、監視状態におけるランプ部７が点灯する態様の設定を変更するときの動作について、図４を用いて説明する。
【００２８】
図４に示すように、警報器１では、使用者が操作部６を操作して、監視状態における通常時と異常時とでそれぞれ異なる態様でランプ部７が点灯するように設定を変更する（ステップＳ２１）。前記操作部６が操作されることによって監視状態における通常時と異常時とでそれぞれ異なる態様でランプ部７が点灯するように設定が変更されると、ステップＳ２２に移行する。
次に、ステップＳ２１において設定が変更されたランプ部７の点灯する態様が、制御部２の記憶装置に記憶される（ステップＳ２２）。
以上のようにして、初期設定時間（ステップＳ２）において、監視状態におけるランプ部７が点灯する態様の設定を変更するときの動作が行われる。
【００２９】
以上のように、ランプ部７が、初期設定時間に、監視状態における通常時と異常時とでそれぞれ異なる態様で点灯するように設定を変更可能に構成される、警報器１では、監視状態前の初期設定時間に、監視状態における通常時と異常時とでそれぞれ異なる態様で点灯するように設定を変更することができる。
したがって、警報器１によれば、使用者の好みに応じて監視状態における通常時と異常時とでランプ部７の点灯する態様に設定を変更することができ、監視状態においてランプ部７の点灯する態様に設定が容易に変更されることを防止することができる。
【００３０】
また以上のように、ランプ部７が、操作部６を操作することによって監視状態における通常時と異常時とでそれぞれ異なる態様で点灯するように設定を変更可能に構成される、警報器１では、他のスイッチ類等を要さずに、操作部６のみを操作することによって、監視状態における通常時と異常時とでそれぞれ異なる態様でランプ部７が点灯するように設定を変更することができる。
したがって、警報器１によれば、監視状態における通常時と異常時とでそれぞれ異なる態様でランプ部７が点灯するように設定を変更可能なものを、簡易な構成とすることができる。
【００３１】
また例えば、警報器１のランプ部７は、初期設定時間において、操作部６が操作されることによって、監視状態における通常時または異常時のランプ部７の複数個の点灯する態様から一個の態様が選択されて、監視状態における通常時または異常時の点灯する態様の設定を変更可能に構成することもできる。
ランプ部７の複数個の点灯する態様は、例えば、ランプ部７が比較的明るめの明るさで点灯する態様、ランプ部７が比較的中間の明るさで点灯する態様、および、ランプ部７が比較的暗めの明さで点灯する態様等で構成され、制御部２の記憶装置に予め記憶される。
操作部６が操作（長押し操作、または、短押し操作）されることによって、ランプ部７の複数個の点灯する態様から一個の態様が順次変化して、任意の態様になった時点で操作部６の操作を止める。そして、前記操作部６の操作が停止された時点での態様で、ランプ部７の複数個の点灯する態様から監視状態における通常時または異常時とのランプ部７が点灯する一個の態様の設定が変更される。
【００３２】
以上のように、ランプ部７が、初期設定時間において、監視状態における通常時または異常時のランプ部７の複数個の点灯する態様から一個の態様が選択されて、監視状態における通常時または異常時の点灯する態様の設定を変更可能に構成される、警報器１では、ランプ部７の複数個の点灯する態様から一個の態様が選択されて、監視状態における通常時または異常時のランプ部７の点灯する態様に設定を変更することができる。
したがって、警報器１によれば、ランプ部７の点灯する態様の設定の変更を容易に行うことができる。
【００３３】
警報器１のランプ部７は、初期設定時間において、操作部６が操作されることによって、監視状態における通常時のランプ部７の点灯する態様が時間の経過に応じて変化するように設定を変更可能に構成することもできる。
このとき、警報器１は、経過時間を表示する表示部（不図示）を備え、操作部６が操作されることによって、表示部に表示される経過時間に応じてランプ部７の点灯する明るさの設定を変更する。例えば、ランプ部７の点灯する態様の設定の変更後８時間はランプ部７がやや暗く点灯し、その後８時間はランプ部７が暗く点灯し、その後８時間はランプ部７が明るく点灯するように、ランプ部７の点灯する態様が経過する時間に応じて変化するように設定を変更する。
またこのとき、警報器１は、時間帯を表示する表示部（不図示）を備え、操作部６が操作されることによって、表示部に表示される時間帯に応じてランプ部７の点灯する明るさの設定を変更することもできる。例えば、８時から１６時はランプ部７がやや暗く点灯し、１６時から２４時はランプ部７が暗く点灯し、２４時から８時はランプ部７が明るく点灯するように、ランプ部７の点灯する態様が経過する時間に応じて変化するように設定を変更する。
時間の経過に応じて変化するように設定が変更されたランプ部７の点灯する態様は、ランプ部７の点灯パターンとして制御部２の記憶装置に記憶される。ランプ部７は、ランプ部７の点灯パターンを最後まで行うと（点灯パターンを一通り行うと）ランプ部７の点灯パターンを最初から行うように、ランプ部７の点灯パターンを繰返し行って点灯するように構成される。
【００３４】
以上のように、ランプ部７が、初期設定時間において、監視状態における通常時のランプ部７の点灯する態様が時間の経過に応じて変化するように設定を変更可能に構成される、警報器１では、ランプ部７の点灯する態様を時間の経過に応じて変化するように設定を変更することができる。
したがって、警報器１によれば、ランプ部７の点灯する態様を時間帯に応じて適切なものとすることができる。
【００３５】
警報器１のランプ部７の複数個の点灯する態様は、複数個のランプ部７の点灯パターン（複数個の、時間の経過に応じて変化するように設定が変更されたランプ部７の点灯する態様）で構成することもできる。複数個のランプ部７の点灯パターンは、例えば、第一から第三（三個）のランプ部７の点灯パターンとして構成され、制御部２の記憶装置に予め記憶される。第一のランプ部７の点灯パターンは、ランプ部７の点灯する態様の設定の変更後８時間はランプ部７がやや暗く点灯し、その後８時間はランプ部７が暗く点灯し、その後８時間はランプ部７が明るく点灯する。第二のランプ部７の点灯パターンは、ランプ部７の点灯する態様の設定の変更後８時間はランプ部７がやや暗く点灯し、その後８時間はランプ部７が暗く点灯し、その後８時間はランプ部７が明るく点灯する。第三のランプ部７の点灯パターンは、ランプ部７の点灯する態様の設定の変更後８時間はランプ部７がやや暗く点灯し、その後８時間はランプ部７が暗く点灯し、その後８時間はランプ部７が明るく点灯する。
このとき、ランプ部７は、初期設定時間において、操作部６が操作されることによって、監視状態における通常時の複数個のランプ部７の点灯パターン（複数個の、時間の経過に応じて変化するように設定が変更されたランプ部７の点灯する態様）から一個の態様が選択されて、監視状態における通常時の点灯する態様の設定が変更可能に構成される。
【００３６】
以上のように、ランプ部７は、初期設定時間において、監視状態における通常時の複数個のランプ部７の点灯パターンから一個の態様が選択されて、監視状態における通常時の点灯する態様の設定を変更可能に構成される、警報器１では、ランプ部７の点灯する態様を時間の経過に応じて変化するように設定を変更することができ、ランプ部７の複数個の点灯する態様から一個の態様が選択されて、監視状態における通常時のランプ部７の点灯する態様の設定を変更することができる。
したがって、警報器１によれば、ランプ部７の点灯する態様を時間帯に応じて適切なものとすることができ、当該ランプ部７の点灯する態様の設定の変更を容易に行うことができる。
【００３７】
警報器１のランプ部７は、監視状態（初期設定時間経過後）においては、所定の条件を満たしたときに、操作部６が操作（操作部６が、長押し操作、短押し操作、または、長押し操作と短押し操作とを組合せて操作）されることによって、監視状態における通常時と異常時とでそれぞれ異なる態様で点灯するように設定を変更可能に構成される。
【００３８】
警報器１のランプ部７は、監視状態において所定の条件を満たすと、所定の時間（例えば、１２０秒間または１８０秒間等）、操作部６が操作されることによって、監視状態における通常時と異常時とでそれぞれ異なる態様で点灯するように設定を変更可能に構成される。
警報器１では、監視状態において所定の条件を満たして、監視状態における通常時と異常時とでそれぞれ異なる態様で点灯するように設定を変更するときには、監視状態における通常時の設定を変更が終わってから数秒間（例えば、２秒間）経過後に、自動的に監視状態における異常時の設定の変更に移行、または、監視状態における異常時の設定の変更が終わってから数秒間経過後に自動的に監視状態における通常時の設定の変更に移行する。
【００３９】
警報器１の前記所定の条件には、監視状態において、所定の時間経過後、所定の時間帯、操作部６が所定の操作をされること、または、これらを組合せたもの等がある。
所定の時間経過後には、例えば、監視状態となってから数秒間（例えば、１８０秒間）経過後、または、監視状態において直近のランプ部７の点灯する態様の設定の変更を行ってから数秒間経過後等がある。
所定の時間帯には、例えば、２１時から６時の時間帯のように子供が寝ている時間帯、または、６時から９時の時間帯のように起床してから出勤前の時間帯等がある。
操作部６が所定の操作されることには、例えば、操作部６が数秒間（例えば、１０秒間）長押し操作されること、操作部６が複数回連続（例えば、５回連続）短押し操作されること、または、長押し操作と短押し操作とを組合せて操作部６が操作されること等がある。
【００４０】
警報器１の監視状態における通常時または異常時のランプ部７の点灯する態様の設定の変更としては、例えば、監視状態において所定の条件を満たした後に、操作部６が長押し操作されるとランプ部７が次第に明るくまたは暗く点灯し、任意の明るさになった時点で操作部６の長押し操作を止める。そして、前記操作部６の操作が停止された時点でのランプ部７の点灯する態様で、監視状態における通常時または異常時とのランプ部７の点灯する態様の設定が変更される。
また例えば、監視状態における通常時または異常時のランプ部７の点灯する態様の設定の変更としては、監視状態において所定の条件を満たした後に、操作部６が短押し操作される毎にランプ部７が次第に明るくまたは暗く点灯し、任意の明るさになった時点で操作部６の長押し操作を止める。そして、前記操作部６の操作が停止された時点でのランプ部７の点灯する態様で、監視状態における通常時または異常時とのランプ部７の点灯する態様の設定が変更される。
また例えば、ランプ部７は、監視状態において所定の条件を満たした後に、操作部６が操作されることによって、監視状態における通常時または異常時のランプ部７の複数個の点灯する態様から一個の態様が選択されて、監視状態における通常時または異常時の点灯する態様の設定を変更可能に構成することもできる。
【００４１】
警報器１の警報部５は、警報音を発しているときに操作部６が操作されると、発していた警報音を一旦停止（例えば、５秒間停止）する。ランプ部７は、監視状態における通常時と異なる態様で点灯しているときに操作部６が操作されると、監視状態における通常時の点灯態様で点灯する。
警報器１では、監視状態における異常時に操作部６が操作されて、監視状態における通常時の動作を行った後、検知部４が所定の範囲以上の外部環境の変化を検知していない状態となれば、監視状態における通常時となる。警報器１では、監視状態における異常時に操作部６が操作されて、監視状態における通常時の動作を行った後、検知部４が所定の範囲以上の外部環境の変化を検知している状態となれば、監視状態における異常時となる。
【００４２】
次に、監視状態（ステップＳ３）において、監視状態におけるランプ部７が点灯する態様の設定を変更するときの動作について、図５を用いて説明する。
【００４３】
図５に示すように、警報器１では、所定の条件を満たすか否かについて制御部２が判断する（ステップＳ３０）。所定の条件を満たすと制御部２が判断した場合、ステップＳ３１に移行する。所定の条件を満たさないと制御部２が判断した場合、ステップＳ３０を繰返し行う。
次に、使用者が操作部６を操作して、監視状態における通常時と異常時とでそれぞれ異なる態様でランプ部７が点灯するように設定を変更する（ステップＳ３１）。前記操作部６が操作されることによって監視状態における通常時と異常時とでそれぞれ異なる態様でランプ部７が点灯するように設定が変更されると、ステップＳ３２に移行する。
次に、ステップＳ３１において設定が変更されたランプ部７の点灯する態様が、制御部２の記憶装置に記憶される（ステップＳ３２）。
以上のようにして、監視状態（ステップＳ３）において、監視状態におけるランプ部７が点灯する態様の設定を変更するときの動作が行われる。
【００４４】
以上のように、警報器１のランプ部７は、監視状態においては、所定の条件を満たしたときに、監視状態における通常時と異常時とでそれぞれ異なる態様で点灯するように設定を変更可能に構成される、警報器１では、監視状態においては、所定の条件を満たしたときに、監視状態における通常時と異常時とでそれぞれ異なる態様で点灯するように設定を変更することができる。
したがって、警報器１によれば、初期設定時間が経過した後でも監視状態における通常時と異常時とでそれぞれ異なる態様で点灯するように設定を変更することができ、監視状態においてランプ部７の点灯する態様が容易に変更されることを防止することができる。
【００４５】
また以上のように、ランプ部７が、監視状態においては、所定の条件を満たしたときに、監視状態における通常時または異常時のランプ部７の複数個の点灯する態様から一個の態様が選択されて、監視状態における通常時または異常時の点灯する態様の設定を変更可能に構成される、警報器１では、監視状態において所定の条件を満たしたときに、ランプ部７の複数個の点灯する態様から一個の態様が選択されて、監視状態における通常時または異常時のランプ部７の点灯する態様の設定を変更することができる。
したがって、警報器１によれば、監視状態において、ランプ部７の点灯する態様の設定の変更を容易に行うことができる。
【００４６】
警報器１のランプ部７は、監視状態において所定の条件を満たした後に、操作部６が操作されることによって、監視状態における通常時のランプ部７の点灯する態様が時間の経過に応じて変化するように設定を変更可能に構成することもできる。
【００４７】
以上のように、ランプ部７が、監視状態において所定の条件を満たしたときに、監視状態における通常時のランプ部７の点灯する態様が時間の経過に応じて変化するように設定を変更可能に構成される、警報器１では、監視状態において所定の条件を満たしたときに、ランプ部７の点灯する態様を時間の経過に応じて変化するように設定を変更することができる。
したがって、警報器１によれば、監視状態において、ランプ部７の点灯する態様を時間帯に応じて適切なものとすることができる。
【００４８】
警報器１のランプ部７の複数個の点灯する態様は複数個のランプ部７の点灯パターンで構成され、ランプ部７は、初期設定時間において、操作部６が操作されることによって、監視状態における通常時のランプ部７の複数個の点灯する態様（複数個のランプ部７の点灯パターン）から一個の態様が選択されて、監視状態における通常時の点灯する態様の設定を変更可能に構成することもできる。
【００４９】
以上のように、ランプ部７は、監視状態において所定の条件を満たしたときに、監視状態における通常時の複数個のランプ部７の点灯パターンから一個の態様が選択されて、監視状態における通常時の点灯する態様の設定を変更可能に構成される、警報器１では、監視状態において所定の条件を満たしたときに、ランプ部７の点灯する態様を時間の経過に応じて変化するように設定を変更することができ、ランプ部７の複数個の点灯する態様から一個の態様が選択されて、監視状態における通常時のランプ部７の点灯する態様の設定を変更することができる。
したがって、警報器１によれば、監視状態において、ランプ部７の点灯する態様を時間帯に応じて適切なものとすることができ、当該ランプ部７の点灯する態様の設定の変更を容易に行うことができる。
【００５０】
警報器１の監視状態における異常時のランプ部７が点灯する態様は、例えば、最も明るい明るさでランプ部７が点灯するように予め定められたものとされ、初期設定時間に、または、監視状態において所定の条件を満たした後に、ランプ部７が監視状態における通常時の点灯する態様のみを異常時の点灯する態様と異なる態様に設定を変更可能に構成することもできる。
検知部４が所定の範囲以上の外部環境の変化を複数段階（例えば、二段階等）で検知するように構成される場合には、監視状態における異常時に、検知部４が検知する複数段階の所定の範囲以上の外部環境の変化に応じて、ランプ部７がそれぞれ複数個の異なる態様でそれぞれ点灯する構成とすることもできる。このとき、ランプ部７は、例えば、検知部４が比較的危険度の高い状態の外部環境の変化を検知したときには、検知部４が比較的危険度の低い状態の外部環境の変化を検知したときと比べて明るく点灯する。
【００５１】
警報器１の初期設定時間に、または、監視状態において所定の条件を満たした後に、操作部６が操作されることによって、監視状態における通常時のランプ部７の点灯態様に設定の変更を行うか、監視状態における異常時のランプ部７の点灯態様に設定の変更を行うかについて、選択可能に構成することもできる。
初期設定時間が経過しても、操作部６の操作が行われていているとき、または、操作部６の操作が行われてから数秒間（例えば、２秒間）経過していないときは、初期設定時間が継続するように構成することもできる。監視状態において所定の条件を満たした後のランプ部７の点灯する態様に設定を変更する所定の時間が経過しても、操作部６の操作が行われていているとき、または、操作部６の操作が行われてから数秒間（例えば、２秒間）経過していないときは、当該所定の時間が継続するように構成することもできる。
ランプ部７は、監視状態における異常時に、監視状態における通常時と異常時とでそれぞれ異なる態様で点灯するように設定を変更することができない構成とすることもできる。
【００５２】
警報器１の電源部３は、電池が配置されること、また、電池（二次電池）に充電することによって、警報器１に電力が供給される構成とすることもできる。
このとき、ランプ部７は、電源部３の電池残量に応じて点灯する態様に設定を変更（例えば、電池残量が少ないときには比較的暗く点灯）するように構成することもできる。
また、ランプ部７は、電源部３の電池残量が少ないときには、比較的明るく点灯する点灯態様に設定を変更することができないように構成することもできる。
【００５３】
警報器１は、警報器１の周囲の照度を検知する照度センサを備え、照度センサが検知した警報器１の周辺の照度に応じて点灯する態様の設定を変更するようにランプ部７を構成することもできる。ランプ部７は、例えば、警報器１の周囲の環境が昼間のように比較的明るい時間帯には、比較的暗く点灯し、また例えば、警報器１の周囲の環境が夜間のように比較的暗い時間帯には、比較的明るく点灯する。
また警報器１の周囲の環境が昼間のように比較的明るい時間帯には、点灯する態様の設定を明るく変更できないようにし（比較的暗く点灯のみ）、また例えば、警報器１の周囲の環境が夜間のように比較的暗い時間帯には、点灯する態様の設定を暗く変更できないように（比較的明るく点灯のみ）してもよい。
なお、上記では、警報器１が一個のランプ部７を備える構成について説明したが、本発明はこれに限定せず、警報器１は、複数個のランプ部７を備えてもよい。このとき、警報器１は、監視状態における通常時に点灯（点滅点灯）するランプ部７と、異常時に点灯（点滅点灯）するランプ部７と、を備える構成とすることもできる。
【符号の説明】
【００５４】
１    警報器
２    制御部
３    電源部
４    検知部
５    警報部
６    操作部
７    ランプ部
【図１】
2016091387.tif 000003
【図２】
2016091387.tif 000004
【図３】
2016091387.tif 000005
【図４】
2016091387.tif 000006
【図５】
2016091387.tif 000007